(57)【要約】  本発明に係る移動交換局３００は、第１移動管理エリアにおいて各移動局を一意に識別可能な一時的移動局識別子ＴＭＳＩを含む移動局情報を管理するように構成されている移動局情報管理部３０２と、第２移動管理エリアにおいて通信中の移動局１００が、第２移動管理エリアから第１移動管理エリアに移動してきた場合に、移動局１００に対して割り当てた一時的移動局識別子ＴＭＳＩを、第１移動管理エリア内で移動局１００が接続している接続先無線基地局２００に対して通知するように構成されている通知部とを具備する。
2008136531.tif 000002
【特許請求の範囲】
【請求項１】
無線基地局を介して、第１移動管理エリアに在圏する各移動局との間で通信を行う移動交換局であって、
前記第１移動管理エリアにおいて前記各移動局を一意に識別可能な一時的移動局識別子を含む移動局情報を管理するように構成されている移動局情報管理部と、
第２移動管理エリアにおいて通信中の移動局が、該第２移動管理エリアから前記第１移動管理エリアに移動してきた場合に、該移動局に対して割り当てた一時的移動局識別子を、該第１移動管理エリア内で該移動局が接続している接続先無線基地局に対して通知するように構成されている通知部とを具備することを特徴とする移動交換局。
【請求項２】
前記通知部は、前記移動局の前記接続先無線基地局へのハンドオーバが完了したこと或いは該接続先無線基地局における該移動局に係る移動局情報の再配置が完了したことを報告する完了報告を該接続先無線基地局から受信し、受信した該完了報告に対する応答によって、該移動局に対して割り当てた一時的移動局識別子を、前記接続先無線基地局に通知するように構成されていることを特徴とする請求項１に記載の移動交換局。
【請求項３】
前記通知部は、前記移動局についての位置登録エリアの更新が完了した後に、該移動局に対して割り当てた一時的移動局識別子を、前記接続先無線基地局に通知するように構成されていることを特徴とする請求項１に記載の移動交換局。
【請求項４】
通信中の移動局から接続要求を受信した場合、移動交換局によって該移動局に対して割り当てられた所定の移動管理エリアにおいて該移動局を一意に識別可能な一時的移動局識別子に基づいて、該移動局の通信を継続するか否かについて判断する無線基地局であって、
前記移動局に対して割り当てられている一時的移動局識別子を含む移動局情報を管理するように構成されている移動局情報管理部と、
前記移動交換局から受信した前記移動局に対して新たに割り当てられた一時的移動局識別子を受信するように構成されている受信部と、
受信した前記一時的移動局識別子によって、前記移動局情報管理部において管理されている前記移動局情報に含まれる一時的移動局識別子を置換するように構成されている置換部とを具備することを特徴とする無線基地局。
【請求項５】
前記移動局の前記接続先無線基地局へのハンドオーバが完了したこと或いは該接続先無線基地局における該移動局に係る移動局情報の再配置が完了したことを報告する完了報告を、前記移動交換局に対して送信するように構成されている送信部を具備し、
前記受信部は、前記完了報告に対する応答によって、前記移動局に対して新たに割り当てられた一時的移動局識別子を受信するように構成されていることを特徴とする請求項４に記載の無線基地局。
【請求項６】
前記受信部は、前記移動局についての位置登録エリアの更新が完了した後に、前記移動局に対して新たに割り当てられた一時的移動局識別子を受信するように構成されていることを特徴とする請求項４に記載の無線基地局。
【請求項７】
移動交換局が、無線基地局を介して第１移動管理エリアに在圏する各移動局との間で通信を行い、該無線基地局が、該第１移動管理エリアにおいて通信中の移動局から接続要求を受信した場合、該移動交換局によって該移動局に対して割り当てられた該第１移動管理エリアにおいて該移動局を一意に識別可能な一時的移動局識別子に基づいて、該移動局の通信を継続するか否かについて判断する移動通信方法であって、
前記移動交換局及び前記無線基地局は、前記第１移動管理エリアにおいて各移動局を一意に識別可能な一時的移動局識別子を含む移動局情報を管理しており、
第２移動管理エリアにおいて通信中の移動局が、該第２移動管理エリアから前記第１移動管理エリアに移動してきた場合に、前記移動交換局が、該移動局に対して割り当てた一時的移動局識別子を、該第１移動管理エリア内で該移動局が接続している接続先無線基地局に対して通知する工程と、
前記接続先基地局が、前記移動交換局から受信した前記移動局に対して新たに割り当てられた一時的移動局識別子を受信する工程と、
前記接続先基地局が、受信した前記一時的移動局識別子によって、管理している前記移動局に関する前記移動局情報に含まれる一時的移動局識別子を置換する工程とを有することを特徴とする移動通信方法。
【発明の詳細な説明】
【技術分野】
【０００１】
本発明は、移動交換局、無線基地局及び移動通信方法に関する。
【背景技術】
【０００２】
Ｅｖｏｌｖｅｄ  ｕｎｉｖｅｒｓａｌ  ｔｅｒｒｅｓｔｒｉａｌ  ｒａｄｉｏ  ａｃｃｅｓｓ  ｎｅｔｗｏｒｋ（Ｅ−ＵＴＲＡＮ）として検討されている移動通信システムにおいて、移動局は、所定セルとの間で通信を行っている場合に、当該所定セルとの間の無線リンクの検出に失敗（Ｒａｄｉｏ  Ｌｉｎｋ  Ｆａｉｌｕｒｅ）した後、一定期間内に、当該所定セルと同一のセルを検出した場合は、検出した当該所定セルに対して接続要求を送信するように構成されている（非特許文献１参照）。【０００３】
また、移動局が、無線基地局間ハンドオーバを行う際に、ハンドオーバ元無線基地局が、ハンドオーバ先無線基地局に対して、ＴＭＳＩ（一時的移動局識別子：Ｔｅｍｐｏｒａｒｙ  Ｍｏｂｉｌｅ  Ｓｕｂｓｃｒｉｂｅｒ  Ｉｄｅｎｔｉｔｙ）を含む移動局情報を転送する。【０００４】
ここで、上述の接続要求を受信した無線基地局は、管理している移動局情報の中に、上述の接続要求に含まれているＴＭＳＩが存在すると判断した場合は、管理している移動局情報を用いて、かかる移動局の通信を継続することができる。【０００５】
一方、かかる無線基地局は、管理している移動局情報の中に、上述の接続要求に含まれているＴＭＳＩが存在しないと判断した場合は、かかる接続要求を新規な接続要求であると判断し、新規の接続設定処理を行うように構成されている。【０００６】
このように制御することにより、移動局が通信を行っている所定セルと当該移動局によって検出されたセルとが同一である場合だけでなく、移動局が通信を行っている所定セルと当該移動局によって検出されたセルとが同一の無線基地局に含まれる場合も、当該移動局の通信を継続することができる（非特許文献２参照）。【０００７】
また、従来の移動通信システムにおいて、移動交換局（ＭＭＥ：Ｍｏｂｉｌｉｔｙ  Ｍａｎａｇｅｍｅｎｔ  Ｅｎｔｉｔｙ）は、待ち受け中及び通信中の各移動局の位置情報を管理しており、各移動局に対して当該移動交換局内で一意に各移動局を識別可能なＴＭＳＩの付与を行っている（非特許文献３参照）。【０００８】
そして、移動交換局は、自局が管理している移動管理エリア（Ｐｏｏｌ  Ａｒｅａ）を超えて移動局が移動した場合は、当該移動交換局から移動先の移動交換局に対して、当該移動局に係る移動局情報の再配置（ＭＭＥ  Ｒｅｌｏｃａｔｉｏｎ）を行い、当該移動局に対して移動先の移動交換局内で一意に当該移動局を識別可能なＴＭＳＩの再割当を行うように構成されている。
【非特許文献１】３ＧＰＰ  ３６.３００  Ｖ８.０.０  Ｔｅｃｈｎｉｃａｌ  ｓｐｅｃｉｆｉｃａｔｉｏｎ  ｇｒｏｕｐ  ｒａｄｉｏ  ａｃｃｅｓｓ  ｎｅｔｗｏｒｋ；  Ｅｖｏｌｖｅｄ  ｕｎｉｖｅｒｓａｌ  ｔｅｒｒｅｓｔｒｉａｌ  ｒａｄｉｏ  ａｃｃｅｓｓ  （Ｅ-ＵＴＲＡ）  ａｎｄ  Ｅｖｏｌｖｅｄ  ｕｎｉｖｅｒｓａｌ  ｔｅｒｒｅｓｔｒｉａｌ  ｒａｄｉｏ  ａｃｃｅｓｓ  ｎｅｔｗｏｒｋ  （Ｅ-ＵＴＲＡＮ）；  Ｏｖｅｒａｌｌ  ｄｅｓｃｒｉｐｔｉｏｎ；  Ｓｔａｇｅ  ２、１０.１.６
【非特許文献２】３ＧＰＰ  Ｒ２-０７１２２９、「Ｒａｄｉｏ  ｌｉｎｋ  ｆａｉｌｕｒｅ  ａｎｄ  ｃｏｎｔｅｘｔ  ｒｅｃｏｖｅｒｙ」、Ｎｏｋｉａ
【非特許文献３】３ＧＰＰ  ２４.８０１  Ｖ０.１.０  Ｔｅｃｈｎｉｃａｌ  ｓｐｅｃｉｆｉｃａｔｉｏｎ  ｇｒｏｕｐ  ｃｏｒｅ  ｎｅｔｗｏｒｋ  ａｎｄ  ｔｅｒｍｉｎａｌｓ；  ３ＧＰＰ  ｓｙｓｔｅｍ  ａｒｃｈｉｔｅｃｔｕｒｅ  ｅｖｏｌｕｔｉｏｎ；  ＣＴ  ＷＧ１  ａｓｐｅｃｔｓ  （Ｒｅｌｅａｓｅ  ８）、５．３
【発明の開示】
【０００９】
しかしながら、上述の移動通信システムでは、以下のような問題点があった。
【００１０】
上述のように、移動局が、通信開始時に接続した移動交換局の移動管理エリアを超えて移動した場合、移動先の移動交換局と移動局との間では、ＴＭＳＩが更新される。
【００１１】
しかし、無線基地局は、移動管理用の信号を終端していないため、再割当されたＴＭＳＩを認識することができず、移動元の移動交換局によって割り当てられたＴＭＳＩを、当該移動局に関する移動局情報として管理し続ける。
【００１２】
したがって、移動局と無線基地局との間で、保持している当該移動局用のＴＭＳＩに不整合が生じているため、当該移動局が、「Ｒａｄｉｏ  Ｌｉｎｋ  Ｆａｉｌｕｒｅ」を検出した後に接続要求を送信した場合であっても、当該無線基地局は、当該移動局を識別するＴＭＳＩを保持していないため、当該移動局の通信を継続することができず、サービス性を低下させ、移動交換局の処理負荷を増大させるという問題点があった。
【００１３】
そこで、本発明は、上述の課題に鑑みてなされたものであり、移動局が、移動管理エリアを超えて移動した後に接続要求を送信した場合においても、再発呼すること無く、当該移動局の通信を継続可能とし、サービス性を向上させることができる移動交換局、無線基地局及び移動通信方法を提供することを目的とする。
【００１４】
本発明の第１の特徴は、無線基地局を介して、第１移動管理エリアに在圏する各移動局との間で通信を行う移動交換局であって、前記第１移動管理エリアにおいて前記各移動局を一意に識別可能な一時的移動局識別子を含む移動局情報を管理するように構成されている移動局情報管理部と、第２移動管理エリアにおいて通信中の移動局が、該第２移動管理エリアから前記第１移動管理エリアに移動してきた場合に、該移動局に対して割り当てた一時的移動局識別子を、該第１移動管理エリア内で該移動局が接続している接続先無線基地局に対して通知するように構成されている通知部とを具備することを要旨とする。
【００１５】
本発明の第１の特徴において、前記通知部は、前記移動局の前記接続先無線基地局へのハンドオーバが完了したこと或いは該接続先無線基地局における該移動局に係る移動局情報の再配置が完了したことを報告する完了報告を該接続先無線基地局から受信し、受信した該完了報告に対する応答によって、該移動局に対して割り当てた一時的移動局識別子を、前記接続先無線基地局に通知するように構成されていてもよい。
【００１６】
本発明の第１の特徴において、前記通知部は、前記移動局についての位置登録エリアの更新が完了した後に、該移動局に対して割り当てた一時的移動局識別子を、前記接続先無線基地局に通知するように構成されていてもよい。
【００１７】
本発明の第２の特徴は、通信中の移動局から接続要求を受信した場合、移動交換局によって該移動局に対して割り当てられた所定の移動管理エリアにおいて該移動局を一意に識別可能な一時的移動局識別子に基づいて、該移動局の通信を継続するか否かについて判断する無線基地局であって、前記移動局に対して割り当てられている一時的移動局識別子を含む移動局情報を管理するように構成されている移動局情報管理部と、前記移動交換局から受信した前記移動局に対して新たに割り当てられた一時的移動局識別子を受信するように構成されている受信部と、受信した前記一時的移動局識別子によって、前記移動局情報管理部において管理されている前記移動局情報に含まれる一時的移動局識別子を置換するように構成されている置換部とを具備することを要旨とする。
【００１８】
本発明の第２の特徴において、前記移動局の前記接続先無線基地局へのハンドオーバが完了したこと或いは該接続先無線基地局における該移動局に係る移動局情報の再配置が完了したことを報告する完了報告を、前記移動交換局に対して送信するように構成されている送信部を具備し、前記受信部は、前記完了報告に対する応答によって、前記移動局に対して新たに割り当てられた一時的移動局識別子を受信するように構成されていてもよい。
【００１９】
本発明の第２の特徴において、前記受信部は、前記移動局についての位置登録エリアの更新が完了した後に、前記移動局に対して新たに割り当てられた一時的移動局識別子を受信するように構成されていてもよい。
【００２０】
本発明の第３の特徴は、移動交換局が、無線基地局を介して第１移動管理エリアに在圏する各移動局との間で通信を行い、該無線基地局が、該第１移動管理エリアにおいて通信中の移動局から接続要求を受信した場合、該移動交換局によって該移動局に対して割り当てられた該第１移動管理エリアにおいて該移動局を一意に識別可能な一時的移動局識別子に基づいて、該移動局の通信を継続するか否かについて判断する移動通信方法であって、前記移動交換局及び前記無線基地局は、前記第１移動管理エリアにおいて各移動局を一意に識別可能な一時的移動局識別子を含む移動局情報を管理しており、第２移動管理エリアにおいて通信中の移動局が、該第２移動管理エリアから前記第１移動管理エリアに移動してきた場合に、前記移動交換局が、該移動局に対して割り当てた一時的移動局識別子を、該第１移動管理エリア内で該移動局が接続している接続先無線基地局に対して通知する工程と、前記接続先基地局が、前記移動交換局から受信した前記移動局に対して新たに割り当てられた一時的移動局識別子を受信する工程と、前記接続先基地局が、受信した前記一時的移動局識別子によって、管理している前記移動局に関する前記移動局情報に含まれる一時的移動局識別子を置換する工程とを有することを要旨とする。
【００２１】
以上説明したように、本発明によれば、移動局が、移動管理エリアを超えて移動した後に接続要求を送信した場合においても、再発呼すること無く、当該移動局の通信を継続可能とし、サービス性を向上させることができる移動交換局、無線基地局及び移動通信方法を提供することができる。
【図面の簡単な説明】
【００２２】
【図１】図１は、本発明の第１の実施形態に係る移動通信システムの全体構成図である。
【図２】図２は、本発明の第１の実施形態に係る移動交換局の機能ブロック図である。
【図３】図３は、本発明の第１の実施形態に係る無線基地局の機能ブロック図である。
【図４】図４は、本発明の第１の実施形態に係る移動交換局の動作を示すフローチャートである。
【図５】図５は、本発明の第１の実施形態に係る無線基地局の動作を示すフローチャートである。
【図６】図６は、本発明の第１の実施形態に係る移動通信システムの動作を示すシーケンスである。
【発明を実施するための最良の形態】
【００２３】
（本発明の第１の実施形態に係る移動通信システム）
図１乃至図３を参照して、本発明の第１の実施形態に係る移動通信システムの構成について説明する。なお、本実施形態を説明するための全図において、同一機能を有するものに対しては同一符号を付与し、繰り返しの説明は省略する。【００２４】
図１に示すように、本実施形態に係る移動通信システムは、移動局１００と、複数の無線基地局２００Ａ乃至２００Ｆと、複数の移動交換局３００Ａ及び３００Ｂとを具備している。【００２５】
ここで、移動交換局３００Ａは、無線基地局２００Ａによって管理されているエリア（セル又はセクタ）１Ａと、無線基地局２００Ｂによって管理されているエリア（セル又はセクタ）１Ｂと、無線基地局２００Ｃによって管理されているエリア（セル又はセクタ）１Ｃとによって形成される移動管理エリア１を管理するように構成されている。【００２６】
また、移動交換局３００Ｂは、無線基地局２００Ｄによって管理されているエリア（セル又はセクタ）２Ａと、無線基地局２００Ｅによって管理されているエリア（セル又はセクタ）２Ｂと、無線基地局２００Ｆによって管理されているエリア（セル又はセクタ）２Ｃとによって形成される移動管理エリア２を管理するように構成されている。【００２７】
なお、本実施形態に係る移動通信システムにおいて、各移動管理エリアは、オーバーラップされるように形成されていてもよいし、オーバーラップされないように形成されていてもよい。【００２８】
また、本明細書において、「移動管理エリア１から移動管理エリア２に移動する」とは、移動管理エリア１から、移動管理エリア１と移動管理エリア２とのオーバーラップエリアを越えて移動管理エリア２に移動することを意味する。【００２９】
移動交換局３００Ａは、無線基地局２００Ａ乃至２００Ｃの何れかを介して、移動管理エリア１（第２移動管理エリア）に在圏する各移動局１００との間で通信を行うように構成されている。【００３０】
一方、移動交換局３００Ｂは、無線基地局２００Ｄ乃至２００Ｆの何れかを介して、移動管理エリア２（第１移動管理エリア）に在圏する各移動局１００との間で通信を行うように構成されている。【００３１】
移動交換局３００Ａの構成及び移動交換局３００Ｂの構成は、基本的に同一であるため、以下、移動交換局３００として、両者の構成について説明する。【００３２】
図２に示すように、移動交換局３００は、移動局情報管理部３０２と、当該移動局情報管理部３０２に接続されている対移動局信号処理生成部３０４と、当該移動局情報管理部３０２に接続されている対無線基地局信号処理生成部３０６と、当該対移動局信号処理生成部３０４及び対無線基地局信号処理生成部３０６に接続されている信号送受信部３０８とを備える。【００３３】
なお、移動交換局３００の各機能３０２乃至３０８の一部又は全部は、ソフトウエアによって実現されていてもよいし、ハードウエアによって実現されていてもよい。【００３４】
移動局情報管理部３０２は、当該移動交換局３００により管理されている移動管理エリアに在圏する各移動局１００に関連する移動局情報を管理するように構成されている。【００３５】
例えば、移動局情報管理部３０２は、各移動局について、ＴＭＳＩや、在圏エリア（セル又はセクタ）や、アドレス情報（ＩＰアドレス）等を含む移動局情報を管理するように構成されている。ここで、ＴＭＳＩは、当該移動交換局３００により管理されている移動管理エリアにおいて、各移動局を一意に識別可能な一時的移動局識別子である。なお、無線基地局２００と移動局１００とが、移動交換局３００によって割り当てられた共通鍵（例えば、Ｓｈａｒｅｄ Ｓｅｃｒｅｔ）を管理し、無線基地局２００が、移動局１００が共通鍵を用いて演算したＭＡＣ（Ｍｅｓｓａｇｅ Ａｕｔｈｅｎｔｉｃａｔｉｏｎ Ｃｏｄｅ）と共通鍵、またはＭＡＣもしくは共通鍵のいずれかに基づいて、移動局１００を識別（認証）するように構成されている場合、かかるＭＡＣ又は共通鍵を一時的移動局識別子としてもよい。つまり、無線基地局２００が、共通鍵を用いた演算結果（例えば、ＭＡＣ）などから、各移動局を識別可能であれば、かかる共通鍵又はＭＡＣを、一時的移動局識別子としてもよい。【００３６】
対移動局信号処理生成部３０４は、移動局１００から受信した信号の処理及び移動局１００へ向けた信号の生成処理を行うように構成されている。【００３７】
例えば、対移動局信号処理生成部３０４は、移動局１００から受信した位置登録エリア更新（ＴＡＵ：  Ｔｒａｃｋｉｎｇ  Ａｒｅａ  Ｕｐｄａｔｅ）要求に対する受け入れ可否の判断や、移動局１００から受信した接続要求等に対する処理を行うように構成されている。【００３８】
対無線基地局信号処理生成部３０６は、無線基地局２００から受信した信号に対する処理及び無線基地局２００へ向けた信号の生成処理を行うように構成されている。【００３９】
例えば、対無線基地局信号処理生成部３０６は、通信中の移動局１００がハンドオーバを行った場合に無線基地局２００から受信したハンドオーバ完了報告に対する処理や、通信中の移動局１００が移動管理エリアを超えてハンドオーバを行った場合に当該移動局１００に対して新規に割り当てた一時的移動局識別子（ＴＭＳＩ）を接続先無線基地局２００に通知するための信号の生成処理等を行うように構成されている。【００４０】
ただし、信号送受信部３０８は、別の移動交換局によって管理されている第２移動管理エリアにおいて通信中の移動局１００が、かかる第２移動管理エリアから当該移動交換局３００によって管理されている第１移動管理エリアに移動してきた場合に、かかる移動局１００に対して割り当てた一時的移動局識別子ＴＭＳＩを、かかる第１移動管理エリア内で当該移動局１００が接続している接続先無線基地局に対して通知するように構成されている。【００４１】
なお、信号送受信部３０８は、上述の移動局１００の接続先無線基地局へのハンドオーバが完了（Ｈａｎｄｏｖｅｒ  ｃｏｍｐｌｅｔｅ）したこと或いは当該接続先無線基地局における当該移動局１００に係る移動局情報の再配置が完了したことを報告する完了報告（移動局情報再配置完了報告：Ｒｅｌｏｃａｔｉｏｎ  ｃｏｍｐｌｅｔｅ）を当該接続先無線基地局から受信し、受信した当該完了報告に対する応答（ハンドオーバ完了報告応答：Ｈａｎｄｏｖｅｒ  ｃｏｍｐｌｅｔｅ  ａｃｋｎｏｗｌｅｄｇｅ、或いは移動局情報再配置完了応答：Ｒｅｌｏｃａｔｉｏｎ  ｃｏｍｐｌｅｔｅ  ａｃｋｎｏｗｌｅｄｇｅ）によって（かかる応答の一部の情報要素として）、当該移動局１００に対して割り当てた一時的移動局識別子ＴＭＳＩを、当該接続先無線基地局に通知するように構成されていてもよい。【００４２】
また、信号送受信部３０８は、当該移動局１００についての位置登録エリアの更新が完了（Ｔｒａｃｋｉｎｇ  ａｒｅａ  ｕｐｄａｔｅ  ｃｏｍｐｌｅｔｅ）した後に、当該移動局１００に対して割り当てた一時的移動局識別子ＴＭＳＩを、当該接続先無線基地局に通知するように構成されていてもよい。【００４３】
本実施形態に係る無線基地局２００は、通信中の移動局１００から接続要求を受信した場合、移動交換局３００によって当該移動局１００に対して割り当てられた所定の移動管理エリアにおいて当該移動局１００を一意に識別可能な一時的移動局識別子ＴＭＳＩに基づいて、当該移動局１００の通信を継続するか否かについて判断するように構成されている。【００４４】
図３に示すように、本実施形態に係る無線基地局２００は、対移動局信号送受信部２０２と、当該対移動局信号送受信部２０２に接続されている信号処理生成部２０４と、当該信号処理生成部２０４に接続されている移動局情報管理部２０６と、当該信号処理生成部２０４に接続されている対移動交換局信号送受信部２０８とを備える。【００４５】
なお、無線基地局２００の各機能２０２乃至２０８の一部又は全部は、ソフトウエアによって実現されていてもよいし、ハードウエアによって実現されていてもよい。【００４６】
対移動局信号送受信部２０２は、移動局１００によって送信された信号の受信処理及び移動局１００へ向けた信号の送信処理を行うように構成されている。【００４７】
例えば、移動局１００によって送信された接続要求（又は、再接続要求）を受信し、また、移動局１００が移動管理エリアを超えて移動した場合に移動交換局３００によって新規に割り当てられた一時的移動局識別子ＴＭＳＩを当該移動局１００に転送するように構成されている。【００４８】
信号処理生成部２０４は、移動局１００及び移動交換局３００から受信した信号に対する処理、及び、移動局１００及び移動交換局３００へ送信する信号の生成処理を行うように構成されている。【００４９】
例えば、信号処理生成部２０４は、移動局１００が移動管理エリアを超えてハンドオーバを行った場合に移動交換局３００によって新規に割り当てられた一時的移動局識別子ＴＭＳＩを当該移動交換局３００から受信して移動局情報管理部２０６へ入力するように構成されている。【００５０】
また、信号処理生成部２０４は、移動局１００からの再接続要求を受信した際に、移動局情報管理部２０６に対して問い合わせを行い、かかる再接続要求の受付可否の判断を行うように構成されている。【００５１】
移動局情報管理部２０６は、通信中の移動局１００に関する移動局情報を管理するように構成されている。【００５２】
例えば、移動局情報管理部２０６は、当該無線基地局２００と通信中の各移動局１００について、移動交換局３００によって割り当てられた一時的移動局識別子ＴＭＳＩや、当該無線基地局２００によって割り当てられた移動局識別子（例えば、Ｃ−ＲＮＴＩ：Ｃｅｌｌ  ｒａｄｉｏ  ｎｅｔｗｏｒｋ  ｔｅｍｐｏｒａｒｙ  ｉｄｅｎｔｉｆｉｅｒ）や、当該無線基地局との間で設定されている無線ベアラの設定情報や、セキュリティの設定情報等の少なくとも１つを含む移動局情報を管理するように構成されている。【００５３】
なお、移動局情報管理部２０６は、対移動交換局信号送受信部２０８によって受信された一時的移動局識別子ＴＭＳＩによって、管理している移動局情報に含まれる一時的移動局識別子ＴＭＳＩを置換するように構成されている。【００５４】
対移動交換局信号送受信部２０８は、移動交換局３００によって送信された信号に対する受信処理、及び、移動交換局３００へ向けた信号の送信処理を行うように構成されている。【００５５】
例えば、対移動交換局信号送受信部２０８は、移動交換局３００から移動局１００に向けた信号の受信処理や、移動局１００が移動管理エリアを超えてハンドオーバした場合に移動交換局３００によって当該移動局１００に対して新規に割り当てられた一時的移動局識別子ＴＭＳＩの受信処理を行うように構成されている。【００５６】
また、対移動交換局信号送受信部２０８は、移動局１００の当該無線基地局２００（接続先無線基地局）へのハンドオーバが完了（Ｈａｎｄｏｖｅｒ  ｃｏｍｐｌｅｔｅ）したこと或いは該無線基地局２００における当該移動局１００に係る移動局情報の再配置が完了したことを報告する完了報告（移動局情報再配置完了報告：Ｒｅｌｏｃａｔｉｏｎ  ｃｏｍｐｌｅｔｅ）を、移動交換局３００に対して送信するように構成されている。【００５７】
また、対移動交換局信号送受信部２０８は、上述の完了報告に対する応答（ハンドオーバ完了報告応答：Ｈａｎｄｏｖｅｒ  ｃｏｍｐｌｅｔｅ  ａｃｋｎｏｗｌｅｄｇｅ、或いは移動局情報再配置完了応答：Ｒｅｌｏｃａｔｉｏｎ  ｃｏｍｐｌｅｔｅ  ａｃｋｎｏｗｌｅｄｇｅ）によって、当該移動局１００に対して新たに割り当てられた一時的移動局識別子ＴＭＳＩを受信するように構成されていてもよい。【００５８】
また、対移動交換局信号送受信部２０８は、当該移動局１００についての位置登録エリアの更新が完了（Ｔｒａｃｋｉｎｇ  ａｒｅａ  ｕｐｄａｔｅ  ｃｏｍｐｌｅｔｅ）した後に、当該移動局１００に対して新たに割り当てられた一時的移動局識別子ＴＭＳＩを受信するように構成されていてもよい。【００５９】
（本発明の第１の実施形態に係る移動通信システムの動作）
以下、図１、図４乃至図６を参照して、本実施形態に係る移動通信システムの動作について説明する。【００６０】
第１に、図１及び図４を参照して、本実施形態に係る移動交換局３００Ｂの動作について説明する。【００６１】
図４に示すように、移動交換局３００Ｂは、ステップＳ４０において、移動局１００が、当該移動交換局３００Ａによって管理されている移動管理エリア１を超えて移動してきたか否かについて判定する。【００６２】
ステップＳ４０において、ＹＥＳの場合、本動作は、ステップＳ４２に進み、ステップＳ４０において、ＮＯの場合、本動作は、ステップＳ４０を繰り返す。【００６３】
移動交換局３００Ｂは、ステップＳ４２において、当該移動局１００についての移動管理エリアの更新処理（移動管理エリア１→移動管理エリア２）を行い、ステップＳ４４において、当該移動局１００に対して新規の一時的移動局識別子ＴＭＳＩの割り当てを行う。【００６４】
ステップＳ４６において、移動交換局３００Ｂは、当該移動局１００が未だ通信中であるか否かについて判定する。【００６５】
ステップＳ４６において、ＹＥＳの場合、本動作は、ステップＳ４８に進み、ステップＳ４６において、ＮＯの場合、本動作は、終了する。【００６６】
ステップＳ４８において、移動交換局３００Ｂは、移動管理エリア２において移動局１００が接続されている接続先無線基地局２００Ｄに対して、当該移動局１００に対して割り当てた一時的移動局識別子ＴＭＳＩ（新ＴＭＳＩ）を通知する。【００６７】
第２に、図１及び図５を参照して、本実施形態に係る無線基地局２００の動作について説明する。【００６８】
図５に示すように、無線基地局２００は、ステップＳ５０において、移動局１００から接続要求を受信した場合、ステップＳ５２において、かかる接続要求に係る呼受付判定を行う。【００６９】
受付許可の場合、本動作は、ステップＳ５４に進み、受付拒否の場合、本動作は、終了する。【００７０】
無線基地局２００は、ステップＳ５４において、受信した接続要求に含まれている移動交換局３００によって割り当てられている一時的移動局識別子ＴＭＳＩを保存し、ステップＳ５６において、かかる一時的移動局識別子ＴＭＳＩを用いて接続設定処理を行う。【００７１】
無線基地局２００は、ステップＳ５８において、通信中の移動局１００に対して、移動交換局３００から新規に割り当てられた一時的移動局識別子ＴＭＳＩを受信した場合、ステップＳ６０において、かかる一時的移動局識別子ＴＭＳＩによって、当該無線基地局３００の移動局情報管理部２０６内に保持している当該移動局１００用の一時的移動局識別子ＴＭＳＩを置換する。【００７２】
以下、ステップＳ５８乃至６２の動作が、当該移動局１００の通信が終了するまで繰り返される。【００７３】
第３に、図１及び図６を参照して、本実施形態に係る移動通信システムの動作について説明する。具体的には、本実施形態に係る移動通信システムにおいて、移動局１００が、接続元無線基地局２００Ｃから接続先無線基地局２００Ｄに対してハンドオーバする場合の動作について説明する。【００７４】
図６に示すように、ステップＳ１００１において、移動管理エリア１内のエリア１Ｃに在圏している移動局１００は、所定のハンドオーバ条件を満足した場合、現在接続している接続元無線基地局２００Ｃに対して、ハンドオーバ先のセル（接続先セル）の識別子を含んだ測定結果報告（Ｍｅａｓｕｒｅｍｅｎｔ  ｒｅｐｏｒｔ）を送信する。【００７５】
ステップＳ１００２において、移動局１００から測定結果報告（Ｍｅａｓｕｒｅｍｅｎｔ  ｒｅｐｏｒｔ）を受信した接続元無線基地局２００Ｃは、上述の接続先セルとの間にコネクションが存在しない場合は、移動管理エリア１外のセルへのハンドオーバ要求を受信したと判断し、当該接続元無線基地局２００Ｃを管理している接続元移動交換局３００Ａに対して、当該移動局１００に係る移動局情報の再配置を要求するための移動局情報再配置要求（Ｒｅｌｏｃａｔｉｏｎ  ｒｅｑｕｉｒｅｄ）を送信する。【００７６】
ステップＳ１００３において、移動局情報再配置要求（Ｒｅｌｏｃａｔｉｏｎ  ｒｅｑｕｉｒｅｄ）を受信した接続元移動交換局３００Ａは、上述の接続先セルを管理する接続先移動交換局３００Ｂに対して、当該移動局情報再配置要求（Ｒｅｌｏｃａｔｉｏｎ  ｒｅｑｕｉｒｅｄ）を転送する（Ｆｏｒｗａｒｄ  ｒｅｌｏｃａｔｉｏｎ  ｒｅｑｕｅｓｔ）。【００７７】
ステップＳ１００４において、転送された移動局情報再配置要求（Ｒｅｌｏｃａｔｉｏｎ  ｒｅｑｕｉｒｅｄ）を受信した接続先移動交換局３００Ｂは、上述の接続先セルを管理する接続先無線基地局２００Ｄに対して、当該移動局１００に係る移動局情報を再配置するように要求するための移動局情報再配置要求（Ｒｅｌｏｃａｔｉｏｎ  ｒｅｑｕｅｓｔ）を送信する。【００７８】
ステップＳ１００５において、当該移動局情報再配置要求（Ｒｅｌｏｃａｔｉｏｎ  ｒｅｑｕｅｓｔ）を受信した接続先無線基地局２００Ｄは、接続先移動交換局３００Ｂに対して、当該移動局情報再配置要求（Ｒｅｌｏｃａｔｉｏｎ  ｒｅｑｕｅｓｔ）に対する応答である移動局情報再配置要求応答（Ｒｅｌｏｃａｔｉｏｎ  ｒｅｑｕｅｓｔ  ａｃｋｎｏｗｌｅｄｇｅ）を送信する。【００７９】
ステップＳ１００６において、当該移動局情報再配置要求応答（Ｒｅｌｏｃａｔｉｏｎ  ｒｅｑｕｅｓｔ  ａｃｋｎｏｗｌｅｄｇｅ）を受信した接続先移動交換局３００Ｂは、接続元移動交換局３００Ａに対して、当該移動局情報再配置要求応答（Ｒｅｌｏｃａｔｉｏｎ  ｒｅｑｕｅｓｔ  ａｃｋｎｏｗｌｅｄｇｅ）を転送する（Ｆｏｒｗａｒｄ  ｒｅｌｏｃａｔｉｏｎ  ｒｅｓｐｏｎｓｅ）。【００８０】
ステップＳ１００７において、転送された当該移動局情報再配置要求応答（Ｒｅｌｏｃａｔｉｏｎ  ｒｅｑｕｅｓｔ  ａｃｋｎｏｗｌｅｄｇｅ）を受信した接続元移動交換局３００Ａは、接続元無線基地局２００Ｃに対して、当該移動局に係る移動局情報の再配置を指示するための移動局情報再配置指示（Ｒｅｌｏｃａｔｏｉｏｎ  ｃｏｍｍａｎｄ）を送信する。【００８１】
ステップＳ１００８において、当該移動局情報再配置指示（Ｒｅｌｏｃａｔｏｉｏｎ  ｃｏｍｍａｎｄ）を受信した接続元無線基地局２００Ｃは、移動局１００に対して、接続先セルに対してハンドオーバを行うように指示するハンドオーバ指示（Ｈａｎｄｏｖｅｒ  ｃｏｍｍａｎｄ）を送信する。【００８２】
ステップＳ１００９において、当該ハンドオーバ指示（Ｈａｎｄｏｖｅｒ  ｃｏｍｍａｎｄ）を受信した移動局１００は、当該ハンドオーバ指示（Ｈａｎｄｏｖｅｒ  ｃｏｍｍａｎｄ）の中で指示された接続先セルに対してハンドオーバを行い、接続先無線基地局２００Ｄに対して、かかるハンドオーバが完了したことを報告するためのハンドオーバ完了報告（Ｈａｎｄｏｖｅｒ  ｃｏｎｆｉｒｍ）を送信する。【００８３】
ここで、移動局１００は、接続先無線基地局２００Ｄに対して、当該ハンドオーバ完了報告（Ｈａｎｄｏｖｅｒ  ｃｏｎｆｉｒｍ）を送信するのと共に、接続先移動交換局３００Ｂに対して、当該移動局１００の位置登録エリアを更新するように要求するための位置登録エリア更新要求（Ｔｒａｃｋｉｎｇ  ａｒｅａ  ｕｐｄａｔｅ  （ＴＡＵ）  ｒｅｑｕｅｓｔ）を送信してもよい。【００８４】
ステップＳ１０１０において、当該ハンドオーバ完了報告（Ｈａｎｄｏｖｅｒ  ｃｏｎｆｉｒｍ）を受信した接続先無線基地局２００Ｄは、接続先移動交換局３００Ｂに対して、当該移動局１００の接続先無線基地局２００Ｄ（接続先セル）へのハンドオーバが完了したこと或いは接続先無線基地局２００Ｄにおける当該移動局１００に係る移動局情報の再配置が完了したことを報告するための移動局情報再配置完了報告（Ｒｅｌｏｃａｔｉｏｎ  ｃｏｍｐｌｅｔｅ）を送信する。【００８５】
ここで、接続先無線基地局２００Ｄは、ステップＳ１００９において、当該ハンドオーバ完了報告（Ｈａｎｄｏｖｅｒ  ｃｏｎｆｉｒｍ）と共に、当該位置登録エリア更新要求（Ｔｒａｃｋｉｎｇ  ａｒｅａ  ｕｐｄａｔｅ  （ＴＡＵ）  ｒｅｑｕｅｓｔ）を受信した場合には、接続先移動交換局３００Ｂに対して、移動局情報再配置完了報告（Ｒｅｌｏｃａｔｉｏｎ  ｃｏｍｐｌｅｔｅ）を送信するのと共に、位置登録エリア更新要求（Ｔｒａｃｋｉｎｇ  ａｒｅａ  ｕｐｄａｔｅ  （ＴＡＵ）  ｒｅｑｕｅｓｔ）を転送してもよい。【００８６】
ステップＳ１０１１において、移動局情報再配置完了報告（Ｒｅｌｏｃａｔｉｏｎ  ｃｏｍｐｌｅｔｅ）を受信した接続先移動交換局３００Ｂは、接続元移動交換局３００Ａに対して、当該移動局情報再配置完了報告を転送する（Ｆｏｒｗａｒｄ  ｒｅｌｏｃａｔｉｏｎ  ｃｏｍｐｌｅｔｅ）。【００８７】
ただし、ステップＳ１０１０において、接続先無線基地局２００Ｄが、移動局情報再配置完了報告（Ｒｅｌｏｃａｔｉｏｎ  ｃｏｍｐｌｅｔｅ）と共に、位置登録エリア更新要求（Ｔｒａｃｋｉｎｇ  ａｒｅａ  ｕｐｄａｔｅ  （ＴＡＵ）  ｒｅｑｕｅｓｔ）を転送した場合には、ステップＳ１０１１において、接続先移動交換局３００Ｂは、移動局情報再配置完了報告（Ｒｅｌｏｃａｔｉｏｎ  ｃｏｍｐｌｅｔｅ）と共に、位置登録エリア更新要求（Ｔｒａｃｋｉｎｇ  ａｒｅａ  ｕｐｄａｔｅ  （ＴＡＵ）  ｒｅｑｕｅｓｔ）を受信し、移動局１００に対して、一時的移動局識別子の払い出しを行ってもよい。【００８８】
ステップＳ１０１２において、転送された移動局情報再配置完了報告（Ｒｅｌｏｃａｔｉｏｎ  ｃｏｍｐｌｅｔｅ）を受信した接続元移動交換局３００Ａは、接続先移動交換局３００Ｂに対して、転送された移動局情報再配置完了報告（Ｒｅｌｏｃａｔｉｏｎ  ｃｏｍｐｌｅｔｅ）に対する応答である移動局情報再配置完了応答（Ｒｅｌｏｃａｔｉｏｎ  ｃｏｍｐｌｅｔｅ  ａｃｋｎｏｗｌｅｄｇｅ）を転送する（Ｆｏｒｗａｒｄ  ｒｅｌｏｃａｔｉｏｎ  ｃｏｍｐｌｅｔｅ  ａｃｋｎｏｗｌｅｄｇｅ）。【００８９】
ステップＳ１０１３において、転送された移動局情報再配置完了報告（Ｒｅｌｏｃａｔｉｏｎ  ｃｏｍｐｌｅｔｅ）を受信した接続元移動交換局３００Ａは、接続元無線基地局２００Ｃに対して、移動局１００との間のリソースの解放を要求するためのリソース解放要求（Ｒｅｌｅａｓｅ  ｒｅｓｏｕｒｃｅ）を送信する。【００９０】
ステップＳ１０１４において、転送された移動局情報再配置完了応答（Ｒｅｌｏｃａｔｉｏｎ  ｃｏｍｐｌｅｔｅ  ａｃｋｎｏｗｌｅｄｇｅ）を受信した接続先移動交換局３００Ｂは、接続先無線基地局２００Ｄに対して、移動局情報再配置完了応答（Ｒｅｌｏｃａｔｉｏｎ  ｃｏｍｐｌｅｔｅ  ａｃｋｎｏｗｌｅｄｇｅ）を送信する。【００９１】
ステップＳ１０１１において、接続先無線基地局２００Ｄから、当該ハンドオーバ完了報告（Ｈａｎｄｏｖｅｒ  ｃｏｎｆｉｒｍ）と共に、当該位置登録エリア更新要求（Ｔｒａｃｋｉｎｇ  ａｒｅａ  ｕｐｄａｔｅ  （ＴＡＵ）  ｒｅｑｕｅｓｔ）を受信している場合、接続先移動交換局３００Ｂは、接続先無線基地局２００Ｄに対して、移動局情報再配置完了応答（Ｒｅｌｏｃａｔｉｏｎ  ｃｏｍｐｌｅｔｅ  ａｃｋｎｏｗｌｅｄｇｅ）と共に、当該移動局１００に対して新規に払い出した一時的移動局識別子ＴＭＳＩを通知してもよい。【００９２】
ステップＳ１０１５において、当該ハンドオーバ完了報告（Ｈａｎｄｏｖｅｒ  ｃｏｎｆｉｒｍ）を送信した移動局１００は、接続先移動交換局３００Ｂに対して、位置登録エリア更新要求（Ｔｒａｃｋｉｎｇ  ａｒｅａ  ｕｐｄａｔｅ  （ＴＡＵ）  ｒｅｑｕｅｓｔ）を送信する。【００９３】
ステップＳ１０１６において、位置登録エリア更新要求（Ｔｒａｃｋｉｎｇ  ａｒｅａ  ｕｐｄａｔｅ  （ＴＡＵ）  ｒｅｑｕｅｓｔ）を受信した接続先移動交換局３００Ｂは、移動局１００に対して、位置登録エリア更新要求（Ｔｒａｃｋｉｎｇ  ａｒｅａ  ｕｐｄａｔｅ  （ＴＡＵ）  ｒｅｑｕｅｓｔ）に対する応答である位置登録エリア更新受付（Ｔｒａｃｋｉｎｇ  ａｒｅａ  ｕｐｄａｔｅ  （ＴＡＵ）  ａｃｃｅｐｔ）を送信する。【００９４】
ここで、接続先移動交換局３００Ｂが、移動局１００に対して、位置登録エリア更新受付（Ｔｒａｃｋｉｎｇ  ａｒｅａ  ｕｐｄａｔｅ  （ＴＡＵ）  ａｃｃｅｐｔ）を送信する際に、当該移動局１００に対して新規に払い出した一時的移動局識別子ＴＭＳＩを付加することで（例えば、Ｐｉｇｇｙ-ｂａｃｋ形式で）、接続先基地局２００Ｄに対して、当該一時的移動局識別子ＴＭＳＩを通知してもよい。【００９５】
かかる場合、接続先基地局２００Ｄは、かかる位置登録エリア更新受付（Ｔｒａｃｋｉｎｇ  ａｒｅａ  ｕｐｄａｔｅ  （ＴＡＵ）  ａｃｃｅｐｔ）に付加された一時的移動局識別子ＴＭＳＩを監視するように構成されていている。【００９６】
ステップＳ１０１７において、位置登録エリア更新受付（Ｔｒａｃｋｉｎｇ  ａｒｅａ  ｕｐｄａｔｅ  （ＴＡＵ）  ａｃｃｅｐｔ）を受信した移動局１００は、接続先移動交換局３００Ｂに対して、位置登録エリア更新完了（Ｔｒａｃｋｉｎｇ  ａｒｅａ  ｕｐｄａｔｅ  （ＴＡＵ）  ｃｏｍｐｌｅｔｅ）を送信する。【００９７】
ステップＳ１０１８において、位置登録エリア更新完了（Ｔｒａｃｋｉｎｇ  ａｒｅａ  ｕｐｄａｔｅ  （ＴＡＵ）  ｃｏｍｐｌｅｔｅ）を受信した接続先移動交換局３００Ｂは、接続先無線基地局２００Ｄに対して、当該移動局１００に対して新規に払い出した一時的移動局識別子ＴＭＳＩを通知するために、移動局識別子更新要求を送信する。【００９８】
（本発明の第１の実施形態に係る移動通信システムの作用・効果）
本実施形態に係る移動通信システムによれば、移動局１００が、移動管理エリア１を超えて移動した後に接続要求を送信した場合においても、再発呼すること無く、当該移動局の通信を継続可能とし、サービス性を向上させる。【００９９】
また、本実施形態に係る移動通信システムによれば、移動局１００が、移動管理エリア１を超えて移動した後に接続要求を送信した場合においても、再発呼しないため、移動交換局３００に対して再発呼用の信号を送信する必要が無く、無線基地局２００と移動局１００との間で接続処理を行うことが可能となり、移動交換局３００の処理負荷を軽減することができる。【０１００】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。【０１０１】
なお、日本国特許出願第２００７−１２３７６３号（２００７年５月８日出願）の全内容が、参照により、本願明細書に組み込まれている。
【産業上の利用の可能性】
【０１０２】
以上説明したように、本発明に係る移動交換局、無線基地局及び移動通信方法によれば、移動局が、移動管理エリアを超えて移動した後に接続要求を送信した場合においても、再発呼すること無く、当該移動局の通信を継続可能とし、サービス性を向上させることができるため移動体通信等の無線通信において有用である。
【図１】
2008136531.tif 000003
【図２】
2008136531.tif 000004
【図３】
2008136531.tif 000005
【図４】
2008136531.tif 000006
【図５】
2008136531.tif 000007
【図６】
2008136531.tif 000008
【手続補正書】
【提出日】平成22年2月24日(2010.2.24)
【手続補正１】
【補正対象書類名】明細書
【補正対象項目名】００７１
【補正方法】変更
【補正の内容】
【００７１】
無線基地局２００は、ステップＳ５８において、通信中の移動局１００に対して、移動交換局３００から新規に割り当てられた一時的移動局識別子ＴＭＳＩを受信した場合、ステップＳ６０において、かかる一時的移動局識別子ＴＭＳＩによって、当該無線基地局２００の移動局情報管理部２０６内に保持している当該移動局１００用の一時的移動局識別子ＴＭＳＩを置換する。
【手続補正２】
【補正対象書類名】明細書
【補正対象項目名】００８０
【補正方法】変更
【補正の内容】
【００８０】
ステップＳ１００７において、転送された当該移動局情報再配置要求応答（Ｒｅｌｏｃａｔｉｏｎ  ｒｅｑｕｅｓｔ  ａｃｋｎｏｗｌｅｄｇｅ）を受信した接続元移動交換局３００Ａは、接続元無線基地局２００Ｃに対して、当該移動局に係る移動局情報の再配置を指示するための移動局情報再配置指示（Ｒｅｌｏｃａｔｉｏｎ  ｃｏｍｍａｎｄ）を送信する。
【手続補正３】
【補正対象書類名】明細書
【補正対象項目名】００８１
【補正方法】変更
【補正の内容】
【００８１】
ステップＳ１００８において、当該移動局情報再配置指示（Ｒｅｌｏｃａｔｉｏｎ  ｃｏｍｍａｎｄ）を受信した接続元無線基地局２００Ｃは、移動局１００に対して、接続先セルに対してハンドオーバを行うように指示するハンドオーバ指示（Ｈａｎｄｏｖｅｒ  ｃｏｍｍａｎｄ）を送信する。
【手続補正４】
【補正対象書類名】特許請求の範囲
【補正対象項目名】請求項４
【補正方法】変更
【補正の内容】
【請求項４】
通信中の移動局から接続要求を受信した場合、移動交換局によって該移動局に対して割り当てられた所定の移動管理エリアにおいて該移動局を一意に識別可能な一時的移動局識別子に基づいて、該移動局の通信を継続するか否かについて判断する無線基地局であって、
前記移動局に対して割り当てられている一時的移動局識別子を含む移動局情報を管理するように構成されている移動局情報管理部と、
前記移動交換局から前記移動局に対して新たに割り当てられた一時的移動局識別子を受信するように構成されている受信部と、
受信した前記一時的移動局識別子によって、前記移動局情報管理部において管理されている前記移動局情報に含まれる一時的移動局識別子を置換するように構成されている置換部とを具備することを特徴とする無線基地局。
【手続補正５】
【補正対象書類名】特許請求の範囲
【補正対象項目名】請求項７
【補正方法】変更
【補正の内容】
【請求項７】
移動交換局が、無線基地局を介して第１移動管理エリアに在圏する各移動局との間で通信を行い、該無線基地局が、該第１移動管理エリアにおいて通信中の移動局から接続要求を受信した場合、該移動交換局によって該移動局に対して割り当てられた該第１移動管理エリアにおいて該移動局を一意に識別可能な一時的移動局識別子に基づいて、該移動局の通信を継続するか否かについて判断する移動通信方法であって、
前記移動交換局及び前記無線基地局は、前記第１移動管理エリアにおいて各移動局を一意に識別可能な一時的移動局識別子を含む移動局情報を管理しており、
第２移動管理エリアにおいて通信中の移動局が、該第２移動管理エリアから前記第１移動管理エリアに移動してきた場合に、前記移動交換局が、該移動局に対して割り当てた一時的移動局識別子を、該第１移動管理エリア内で該移動局が接続している接続先無線基地局に対して通知する工程と、
前記接続先無線基地局が、前記移動交換局から前記移動局に対して新たに割り当てられた一時的移動局識別子を受信する工程と、
前記接続先無線基地局が、受信した前記一時的移動局識別子によって、管理している前記移動局に関する前記移動局情報に含まれる一時的移動局識別子を置換する工程とを有することを特徴とする移動通信方法。
【国際調査報告】
2008136531.tif 000009
2008136531.tif 000010